(57)【特許請求の範囲】
【請求項１】
透明または半透明の合成樹脂製外装体の内側に衝撃吸収ライナが設けられ頭部に被る開口を下側面に有した帽体と、前記衝撃吸収ライナの内側に配設された内装材と、前記外装体に取り付けられた顎ベルトとを有するヘルメットであって、前記外装体と前記衝撃吸収ライナとの間には前記開口の周縁部に沿って狭い溝が形成され、前記内装材には前記衝撃吸収ライナの下端を覆う被覆部分とこの被覆部分の外側に前記溝にきつく挿入されて摩擦抵抗によって挿入保持される合成樹脂製の挿入縁が設けられ、前記顎ベルトは前記外装体の前記開口の周縁寄りに取り付けられ、前記外装体の下端周縁の外面には前記顎ベルトの取り付け部と前記挿入縁を覆うように復元力を有する柔軟性の合成樹脂成形された縁飾りが設けられ、前記内装材は前記溝に保持された前記挿入縁の前記溝からの引き抜きにて取り外し可能であることを特徴とするヘルメット。
【請求項２】
透明または半透明の合成樹脂製外装体の内側に衝撃吸収ライナが設けられ頭部に被る開口を下側面に有した帽体と、前記衝撃吸収ライナの内側に配設された内装材と、前記外装体に取り付けられた顎ベルトとを有するヘルメットであって、前記外装体と前記衝撃吸収ライナとの間には前記開口の周縁部に沿って狭い溝が形成され、前記内装材には前記衝撃吸収ライナの下端を覆う被覆部分とこの被覆部分の外側に前記溝に挿入される合成樹脂製の挿入縁が設けられ、前記顎ベルトは前記外装体の前記開口周縁寄りに取り付けられ、前記外装体の下端周縁には前記顎ベルトの取り付け部と前記挿入縁とを前記外装体の外面から覆う外側辺と前記溝に挿入される内側辺とを有した復元力を有する柔軟性の合成樹脂の帯状縁飾りが設けられ、前記衝撃吸収ライナと前記内側辺との間に前記挿入縁が比較的きつく挿入保持される隙間が形成され、前記挿入縁が前記隙間から引き抜きにて取り外し可能であることを特徴とするヘルメット。
【発明の詳細な説明】
【０００１】
【発明の属する技術分野】
本発明は、外装体を透明または半透明の合成樹脂製とし、内装体を着脱可能に構成したヘルメットに関する。
【０００２】
【従来の技術】
透明または半透明の合成樹脂製ヘルメットとして実開昭５７−３９９３４号、実開昭５７−１９２９３２号、実開平１−７０８２９号、実開平３−１１１３７０号がある。これらは視界を広くして安全性の向上やスポーツ性の向上を図るものである。
【０００３】
また透明または半透明のＦＲＰ製帽体の内側に衝撃吸収体を設けたヘルメットとして、特開平９−１１１５２８号がある。これは、帽体として補強繊維材料を透明または半透明の樹脂で強化したＦＲＰ製を採用し、特に補強繊維材料を特徴のある構成となし、帽体の外表面から補強繊維織物の模様が見えるようにして、意匠効果の向上を図るものである。
【０００４】
【発明が解決しようとする課題】
上記の従来技術では、それ自体での発明の特徴があるが、透明または半透明の合成樹脂製外装体の内側に衝撃吸収ライナが設けられた帽体と、衝撃吸収ライナの内側に配設された内装材と、外装体に取り付けられた顎ベルトとを有するヘルメットにおいて、透明または半透明の合成樹脂製外装体の意匠効果を奏するために、顎ベルトの取り付け部や内装材の着脱構造との関係についての技術的開示はない。
【０００５】
本発明は、上記のような点に鑑みて、透明性の意匠効果を活かし機能性に優れたヘルメットを提供するものである。
【０００６】
【課題を解決するための手段】
このため、本願発明の具術的手段は、透明または半透明の合成樹脂製外装体の内側に衝撃吸収ライナが設けられ頭部に被る開口を下側面に有した帽体と、前記衝撃吸収ライナの内側に配設された内装材と、前記外装体に取り付けられた顎ベルトとを有するヘルメットであって、前記外装体と前記衝撃吸収ライナとの間には前記開口の周縁部に沿って狭い溝が形成され、前記内装材には前記衝撃吸収ライナの下端を覆う被覆部分とこの被覆部分の外側に前記溝にきつく挿入されて摩擦抵抗によって挿入保持される合成樹脂製の挿入縁が設けられ、前記顎ベルトは前記外装体の前記開口の周縁寄りに取り付けられ、前記外装体の下端周縁の外面には前記顎ベルトの取り付け部と前記挿入縁を覆うように復元力を有する柔軟性の合成樹脂成形された縁飾りが設けられ、前記内装材は前記溝に保持された前記挿入縁の前記溝からの引き抜きにて取り外し可能であり、これによって、帽体の開口周縁の意匠上の処理によって、透明または半透明の合成樹脂製外装体の意匠効果が維持され、また内装材は十分な装着保持が維持される一方で洗濯等のために取り外し可能な機能が達成できる。
【０００７】
また、本願発明は、透明または半透明の合成樹脂製外装体の内側に衝撃吸収ライナが設けられ頭部に被る開口を下側面に有した帽体と、前記衝撃吸収ライナの内側に配設された内装材と、前記外装体に取り付けられた顎ベルトとを有するヘルメットであって、前記外装体と前記衝撃吸収ライナとの間には前記開口の周縁部に沿って狭い溝が形成され、前記内装材には前記衝撃吸収ライナの下端を覆う被覆部分とこの被覆部分の外側に前記溝に挿入される合成樹脂製の挿入縁が設けられ、前記顎ベルトは前記外装体の前記開口周縁寄りに取り付けられ、前記外装体の下端周縁には前記顎ベルトの取り付け部と前記挿入縁とを前記外装体の外面から覆う外側辺と前記溝に挿入される内側辺とを有した復元力を有する柔軟性の合成樹脂の帯状縁飾りが設けられ、前記衝撃吸収ライナと前記内側辺との間に前記挿入縁が比較的きつく挿入保持される隙間が形成され、前記挿入縁が前記隙間から引き抜きにて取り外し可能であり、これによって、帽体の開口周縁の意匠上の処理によって、透明または半透明の合成樹脂製外装体の意匠効果が維持され、また内装材は挿入縁を衝撃吸収ライナと縁飾りの内側辺とで確実に保持できると共に洗濯等のために取り外し必要な場合には引き抜き可能な機能が達成できる。
【０００８】
また本願発明は、前記縁飾りは、柔軟性ある合成樹脂を押し出し成形した帯状のものをその接合端が前記外装体の真後ろに位置するように前記外装体に巻き付けた構成であって、ゴーグル止めバンドを前記外装体の真後ろ位置に設け、前記縁飾りの接合端を前記ゴーグル止めバンドによって覆うようにしたものであり、前記接合端を覆う化粧材の役目をゴーグル止めバンドが果たすことによって、構造的にもまた外観意匠上でも好ましい形態を提供する。
【０００９】
【発明の実施の形態】
次に、本願発明のヘルメットの実施の形態について説明する。図１乃至図６は本発明の実施形態を示す。図１はヘルメット全体を示す斜視図、図２はヘルメットの右側面図、図３はヘルメットの背面図、図４はヘルメットの中央縦断側面図、図５は図４のＰ部の拡大縦断面図、図６はヘルメット下端部の他の実施形態を示す断面図、図７はゴーグルをヘルメットに保持した状態の斜視図、図８はゴーグル止め部分を示すヘルメット後ろ下端部の断面図である。
【００１０】
以下、図に基づいて本発明の実施形態を説明する。本発明の一つの実施形態のヘルメット１は、図１にその全体を示している。本発明のヘルメット１は、透明または半透明の合成樹脂製外装体２の内側に衝撃吸収ライナ３が設けられ、使用する人が頭部に被れるように開口４を下側面に有した帽体５を主体とし、これに衝撃吸収ライナ３の内側に配設されて使用する人の頭部に接触する内装材６と、外装体２の適所にしっかりと取り付けられた顎ベルト（顎紐）７とを有する。そして、外装体２と衝撃吸収ライナ３とは開口４が形成されるようにそれぞれ下面開口を有し、外装体２と衝撃吸収ライナ３との間には開口４の周縁部に沿って狭い溝８が形成され、内装材２には衝撃吸収ライナ３の開口４の周縁部を覆う部分１５と溝８に摩擦抵抗によって挿入保持される合成樹脂製の挿入縁１３が設けられ、顎ベルト７は外装体２の開口４周縁寄りに取り付けられ、顎ベルト７の取り付け部９と挿入縁１３を外側から覆うように外装体２の開口周縁に縁飾り１０を設けた構成である。
【００１１】
本発明のヘルメット１の詳細を図に基づき以下に説明する。外装体２は半球状等の所定のヘルメット形状に成形された状態において透明性又は半透明性を示す合成樹脂であり、熱硬化性或いは熱可塑性の何れのものであってもよい。このためアクリル樹脂、ポリカーボネート樹脂、不飽和ポリエステル樹脂、ビニルエステル樹脂、ＡＢＳ樹脂或いは他の適切な合成樹脂であればよく、更に透明性又は半透明性を示す繊維強化樹脂製とすることもできる。外観意匠効果の向上のために、外装体２に着色することができる。この着色剤としては、染料、顔料のいずれでもよいが、ヘルメット形状に成形するときの他の材料との関係や、熱や光との関係によって紫外線劣化などの問題のない安定性のあるものが適切である。
【００１２】
外装体２の内側に設けられる衝撃吸収ライナ３は、発砲スチロール等の合成樹脂発砲材で構成されが、これに限らず合成樹脂製ハニカム形状体、或いは段ボール等から構成してもよい。このような衝撃吸収ライナ３は外装体２の内側のほぼ全域に渡って装着されている。衝撃吸収ライナ３と外装体２の内面との接着は、外装体２の形状によっては外装体２の内側に衝撃吸収ライナ３を圧入にて挿入保持することができるが、圧入による挿入保持ができない場合は、部分的に配置された透明性の両面接着テープ等によって衝撃吸収ライナ３と外装体２両者の接着固定がなされる。外装体２と衝撃吸収ライナ３との間には開口４の周縁部に沿って狭い溝８が形成される。この溝８の形成方法の一つとして、衝撃吸収ライナ３の外周面の下端周縁を窪ませており、外装体２の内面との間に下方に開口する溝８が形成されている。
【００１３】
内装材６は、軟質ポリウレタンフォーム等の弾力性に富むクッション材１８を布等の表皮材１９で覆った構成であり、ヘルメット１を使用者が被ったときその頭部の周囲に当たる環状部１６と頭部の上面を保護する上面部１７を有する。内装材６には更に、摩擦抵抗によって溝８に挿入保持される合成樹脂製の挿入縁１３を衝撃吸収ライナ３の下端１４を覆う被覆部分１５の外側に設けている。被覆部分１５は環状部１６の表皮材１９に表皮材１９と同じ布製を縫合した構成でこよいが表皮材１９の延長部分であってもよい。また挿入縁１３は、若干の剛性と柔軟性のある合成樹脂製シート状であり、被覆部分１５に縫合又は接着にて取り付けられている。挿入縁１３は、溝８に挿入された状態において溝８の壁との摩擦抵抗によって保持されるために、なるだけ摩擦抵抗の大きな表面を呈する材料が好ましく、ポリプロピレン、ポリエチレン、塩化ビニールなどの合成樹脂製である。更に、挿入縁１３は外装体２と衝撃吸収ライナ３との間に挿入されて外装体２を透して外から見えので、あまり目立たないようにするために、透明、半透明または白色の合成樹脂製である。
【００１４】
顎ベルト７の取り付け部９は、開口４の周縁寄りの位置で外装体２を貫通したリベット状の固定具２０によって外装体２の外面に強固に取り付けた構成である。７Ａはヘルメット使用者の頭部の後ろ側に対応するように支持ベルト２１に中間部を支持された顎ベルト７の横ベルト部である。支持ベルト２１も顎ベルト７の構成の一部であり外装体２の後ろ外面に取り付け部９にて強固に取り付けられている。このように、本実施形態では顎ベルト７の外装体２への取り付けは、帽体５の左右各１箇所と後部１箇所の合計３箇所であるが、帽体５の左右各１箇所の合計２箇所、或いは帽体５の左右各２箇所の合計４箇所の取り付けも可能である。
【００１５】
外装体２の下端周縁に取り付けた縁飾り１０は、その外側辺１１が顎ベルト７の取り付け部９と挿入縁１３を覆う。それによってこの取り付け部９と挿入縁１３が外から見苦しくないようにすると共に帽体５の下端周縁に鉢巻き状のアクセントをつけて意匠的特徴を出している。また、縁飾り１０はこのような意匠効果に加えて、外側辺１１の下端から内方へ延びて外装体２の下端縁を覆う被覆部１２を有し、これによって、外装体２の端縁の保護と硬い外装体２の端縁から使用者を保護する。縁飾り１０は、外装体２へ透明性の両面接着テープや接着剤等によって取り付けられるが、取り付け状態において、取り付け部９及び挿入縁１３を外装体２の外面から覆って外装体２の外面に密着保持される形を維持するために、復元力を有する柔軟性ある合成樹脂の成形品であり、塩化ビニール、ウレタン樹脂等の合成樹脂製である。縁飾り１０は、柔軟性ある合成樹脂を押し出し成形した帯状のものをその接合端が外装体２の真後ろに位置するように外装体２に巻き付けたもの、又は外装体２の下端全周に渡る環状成形品をインジェクション成形したものの何れであってもよい。縁飾り１０は顎ベルト７の取り付け部９と挿入縁１３を覆うと共に帽体５の下端周縁に鉢巻き状のアクセントをつけた意匠効果を奏するが、更に外装体２の透明性または半透明性とのマッチングを考慮して、不透明とせずに半透明とすることができる。
【００１６】
上記の構成において、挿入縁１３の挿入保持のために溝８は比較的狭く、挿入縁１３が溝８に比較的きつく挿入され、その状態において溝８の壁との摩擦抵抗によって保持される。この場合、顎ベルト７の取り付け部９では図５のように、挿入縁１３は固定具２０と衝撃吸収ライナ３と隙間にまで進入して保持され、その他の部分では外装体２と衝撃吸収ライナ３と隙間（溝８）に進入して保持される。挿入縁１３は固定具２０に対応する部分を除去した形状でもよく、また複数に分割された挿入縁１３の構成とすることによって、溝８への挿入操作がし易くなる。そして洗濯その他の目的のために、挿入縁１３は溝８から強く引き抜くことによって、取り外し可能である。
【００１７】
図６には、他の形状の縁飾り１０を採用した場合の構成を示している。これにおいて、縁飾り１０は、外側辺１１とその下端から内方へ延びて外装体２の下端縁を覆う被覆部１２と更にそこから上方へ延びた内側辺２２を有し、前述同様の材料で成形されており、外装体２の下端縁が外側辺１１と内側辺２２との間の溝に嵌合し、外装体２に対し透明性の接着剤または両面テープで部分的に取り付けられている。この構成において、挿入縁１３は内側辺２２と衝撃吸収ライナ３とで挟持されるように、縁飾り１０の内側辺２２と衝撃吸収ライナ３との間の隙間へ比較的きつく挿入され、縁飾り１０の柔軟性と相俟って溝８にかなりしっかりと保持される。その他の部分は上記実施形態と同様である。
【００１８】
２３は、衝撃吸収ライナ３の下端１４とこの下端１４を覆う内装材６の被覆部分１５とに複数箇所にそれぞれ設けられて相互に着脱自在に貼りつく面ファスナであり、被覆部分１５が衝撃吸収ライナ３の下端１４から垂れ下がらないように保持される。
【００１９】
本発明のヘルメットは、更に、ゴーグル３０をヘルメット１に保持するための構成を有する。これに関する実施形態を図７及び図８に示すが、図１乃至図６と同符号は同一部分を示すのでその説明は省略する。図７及び図８において、２４はゴーグル止めバンドであり、見栄え良くするために皮革又は合成皮革等で構成している。ゴーグル止めバンド２４は、その基部を外装体２の内側で顎ベルト７と共に取付部９によって固定され、可動端側をホック装置２８によって外装体２の外面に取り外し可能に取り付けている。もう少し具体的に説明すると、ゴーグル止めバンド２４は、可動端側にホック可動側２６が取り付けられており、取付部９によって固定された基部から下方へ延びて縁飾り１０の被覆部１２と外側辺１１の一部を包み縁飾り１０の上方位置において、外装体２に取り付けたホック装置２８のホック固定側２５にホック可動側２６が着脱自在に嵌合する構成である。
【００２０】
この構成によって、図７のように、ゴーグル３０をヘルメット１の縁飾り１０周辺に沿って保持する場合には、ホック可動側２６をホック固定側２５から外した状態において、ゴーグル３０に設けたゴーグルベルト２９をヘルメット１の縁飾り１０周辺に沿って掛けた状態でホック可動側２６の先端係止部２７をホック固定側２５に嵌合する。これが図８の状態であり、ゴーグル３０はヘルメット１から脱落しない。このためヘルメット１を持ち歩く場合にも、ゴーグル３０はヘルメット１に保持されたままである。また、ヘルメット１頭部に被った状態において、使用者がゴーグル３０を顔面に着ける場合にも、ゴーグルベルト２９は図８のようにゴーグル止めバンド２４によってヘルメット１から脱落しない状態に保持したままで使用できる。もしゴーグル３０をヘルメット１から外す場合には、ホック装置２８を開いて取り外すことができる。
【００２１】
縁飾り１０は、通常、柔軟性ある合成樹脂を押し出し成形した帯状のものをその接合端３１が外装体２の真後ろに位置するように外装体２に巻き付けたものが用いられる。この場合、ゴーグル止めバンド２４がヘルメット１の真後ろ位置に設けられているため、縁飾り１０の前記接合端３１はこのゴーグル止めバンド２４によって覆われることになる。このため、前記接合端３１を覆う特別の化粧材を設けなくても、ゴーグル止めバンド２４がその役目を果たすので、構造的にもまた外観意匠上でも好ましい形態である。更に、ゴーグル止めバンド２４は、縁飾り１０を透して見えるヘルメット１の真後ろの取付部９をも覆う幅に形成すれば、その部分の外観意匠も向上する。
【００２２】
本発明のヘルメットは、上記のように外装体２を透明又は半透明に成形してその内側の衝撃吸収ライナ３を目視可能とした、所謂スケルトンタイプである。この場合、外装体２を上記のように着色した合成樹脂で形作り、メカニカル感をなくしてソフトな感じを出し、女性にも好感が持たれる意匠を醸し出している。また、外装体２の内側の衝撃吸収ライナ３が見え過ぎて意匠効果が低下するような場合には、外装体２の裏面に梨地処理またはシボ処理を施し、外から衝撃吸収ライナ３の表面が見え過ぎないようにすることができる。この場合の梨地処理またはシボ処理の方法としては、合成樹脂をインジェクション（射出）成形して外装体２を形成する場合には、成形用金型に梨地処理またはシボ処理部を形成して成形することによって達成できる。また外装体２を合成樹脂板を真空成形する場合には、この合成樹脂板の片側面に梨地処理またはシボ処理が施された状態で真空成形することによって達成される。
【００２３】
このようにして構成されたヘルメット１は、やさしいソフトイメージの外観を呈するため、従来のヘルメットの硬いイメージを一掃し、新しい意匠効果のヘルメットが提供できる。
【００２４】
また外装体２の外表面の全体にクリアー塗装を施すことによって、外観に深みを与えて品質感の向上が図れる。そしてこのクリアー塗装によって外装体２の表面硬度が向上して傷付きが抑制でき、更に耐候性と耐薬品性が向上する。
【００２５】
また、縁飾り１０は、顎ベルト７の取り付け部９と挿入縁１３を外から覆うと共に帽体５の下端周縁に鉢巻き状のアクセントをつける意匠効果を維持しつつ、不透明とせずに半透明とすることによって、外装体２の透明性または半透明性によるスケルトン感覚とのマッチングができる。
【００２６】
上記のように外装体２の裏面に梨地処理、シボ処理を施して、或いはその他の構成によって、外装体２と衝撃吸収ライナ３と間に空気流通空間が形成されるときには、外装体２の内面への汗かき防止効果を得ることもできる。また前記梨地処理又はシボ処理によって、外装体２の表面積が増加して強度アップにもなる。
【００２７】
外装体２が透明又は半透明であるため、意匠的効果を得るために、外装体２と衝撃吸収ライナ３と間にシール等のデザイン物を配置することもできる。また外装体２が透明又は半透明であるため、衝撃吸収ライナ３の外面に模様、色彩等を施すことによって種種の意匠効果を得ることができる。
【００２８】
内装材６は、挿入縁１３を溝８または縁飾り１０と衝撃吸収ライナ３との隙間に比較的きつく挿入される構成であるため、その挿入によって抜け落ちることなく安定保持ができ。また、軟質ポリウレタンフォーム等の弾力性に富むクッション材１８を布等の表皮材１９で覆った構成であるため、挿入縁を溝８または縁飾り１０と衝撃吸収ライナ３との隙間に挿入保持した状態で前記弾力性によって衝撃吸収ライナ３の内面に沿った状態を保つことができる。
【００２９】
本発明では、縁飾り１０は、柔軟性ある合成樹脂を押し出し成形した帯状のものをその接合端３１が外装体２の真後ろに位置するように外装体２に巻き付けた構成であって、ゴーグル止めバンド２４がヘルメット１の真後ろ位置に設けられているため、縁飾り１０の前記接合端３１はこのゴーグル止めバンド２４によって覆われる。このため、前記接合端を覆う化粧材の役目をゴーグル止めバンド２４が果たすので、構造的にもまた外観意匠上でも好ましい形態である。
【００３０】
本発明は、上記実施形態に限定されず、本発明の技術的範囲を逸脱しないかぎり種種の変更が考えられ、それに係る種種の実施形態を包含するものである。
【００３１】
【発明の効果】
本発明のヘルメットは、スケルトン感覚のやさしいソフトイメージの外観を呈するため、従来のヘルメットの硬いイメージを一掃して、新しい意匠効果のヘルメットが提供できる。その構成上の特徴としては、内装材を洗濯等のために取り外し可能な機能構造とするために、内装材の挿入縁を外装体と衝撃吸収ライナとの間に挿入保持する構成にするとき、縁飾りによって顎ベルトの取り付け部及び内装材の挿入縁に対する意匠上の処理が容易となり、スケルトン感覚のヘルメットへの適用として優れる。
【００３２】
第２の発明では、外装体に取り付けられる縁飾りを利用して、内装材の挿入縁の保持ができるため、縁飾りの材質の選択によって挿入縁を安定的に保持できる構成が達成できる。
【図面の簡単な説明】
【図１】本発明の実施形態のヘルメット全体を示す斜視図である。
【図２】本発明の実施形態のヘルメットの右側面図である。
【図３】本発明の実施形態のヘルメットの背面図である。
【図４】本発明の実施形態のヘルメットの中央縦断側面図である。
【図５】図４のＰ部の拡大縦断面図である。
【図６】本発明の実施形態のヘルメット下端部の他の実施形態を示す断面図である。
【図７】本発明の実施形態のヘルメットにゴーグルを保持した状態の斜視図である。
【図８】本発明の実施形態のヘルメットのゴーグル止め部分を示すヘルメット後ろ下端部の断面図である。
【符号の説明】
１……ヘルメット
２……外装体
３……衝撃吸収ライナ
４……開口
５……帽体
６……内装材
７……顎ベルト
８……溝
９……顎ベルト取り付け部
１０…縁飾り
１１…外側辺
１２…被覆部
１３…挿入縁
１４…衝撃吸収ライナの下端
１５…被覆部分
１６…環状部
１７…上面部
１８…クッション材
１９…表皮材
２０…固定具
２２…内側辺
２３…面ファスナ
２４…ゴーグル止めバンド
２８…ホック装置
２９…ゴーグルベルト
３０…ゴーグル
３１…接合端
【図１】
0003573414.tif 000002
【図２】
0003573414.tif 000003
【図３】
0003573414.tif 000004
【図４】
0003573414.tif 000005
【図５】
0003573414.tif 000006
【図６】
0003573414.tif 000007
【図７】
0003573414.tif 000008
【図８】
0003573414.tif 000009